(57)【要約】【課題】手軽にユーザの意図した自分撮り撮影が可能なシステムを提供する。【解決手段】第一の通信を介して外部装置と接続する第一の通信手段と、前記第一の通信とは異なる第二の通信を介して前記外部装置と接続する第二の通信手段と、被写体を撮像して画像データを生成する撮像手段と、前記撮像装置を制御する制御手段とを有し、前記第一の通信によって前記外部装置と接続し、撮像に関する設定を受信したことに応じて、前記制御手段は、前記第一の通信で得た前記設定に従ったタイミングで前記撮像手段により撮像するよう制御すると共に、前記第二の通信手段により前記外部装置と接続し、前記撮像によって得られた画像データに関する情報を前記外部装置に送信するよう制御する。【選択図】図４
2017103552.tif 000002
【特許請求の範囲】
【請求項１】
撮像装置であって、
第一の通信を介して外部装置と接続する第一の通信手段と、
前記第一の通信とは異なる第二の通信を介して前記外部装置と接続する第二の通信手段と、
被写体を撮像して画像データを生成する撮像手段と、
前記撮像装置を制御する制御手段とを有し、
前記第一の通信によって前記外部装置と接続し、撮像に関する設定を受信したことに応じて、前記制御手段は、前記第一の通信で得た前記設定に従ったタイミングで前記撮像手段により撮像するよう制御すると共に、前記第二の通信手段により前記外部装置と接続し、前記撮像によって得られた画像データに関する情報を前記外部装置に送信するよう制御することを特徴とする撮像装置。
【請求項２】
前記設定は、撮影タイマー、撮影回数、撮影間隔の少なくともいずれかひとつを含むことを特徴とする請求項１に記載の撮像装置。
【請求項３】
前記第一の通信手段は、前記撮像装置の電源がオフであっても、前記外部装置からの電磁波により生じる電力を用いて動作することを特徴とする請求項１または２に記載の撮像装置。
【請求項４】
前記第一の通信手段は、前記設定を受信すると共に、前記第二の通信を介して接続するための通信パラメータを前記外部装置と共有し、
前記制御手段は、前記第一の通信で得た前記設定に従ったタイミングで前記撮像手段により撮像するよう制御すると共に、前記通信パラメータを用いて前記第二の通信手段により前記外部装置と接続し、前記撮像によって得られた画像データに関する情報を前記外部装置に送信するよう制御することを特徴とする請求項１乃至３のいずれか１項に記載の撮像装置。
【請求項５】
前記第一の通信で前記外部装置と接続できる距離は、前記第二の通信で前記外部装置と接続できる距離より短いことを特徴とする請求項１乃至４のいずれか１項に記載の撮像装置。
【請求項６】
前記第二の通信手段は、ビーコンを発信することによってネットワークを生成し、前記外部装置からの前記ネットワークへの参加要求に応答することで、前記外部装置と接続することを特徴とする請求項１乃至５のいずれか１項に記載の撮像装置。
【請求項７】
前記第二の通信手段による前記外部装置との接続は、前記第一の通信手段による通信が切断された後も維持されることを特徴とする請求項１乃至６のいずれか１項に記載の撮像装置。
【請求項８】
前記第一の通信によって撮像に関する設定を前記外部装置から受信したことに応じて実行される撮像中に、他の外部装置と前記第一の通信手段により接続した場合、前記撮像に並行して、現在接続している前記外部装置との間の通信で用いている通信パラメータとは異なる通信パラメータを前記他の外部装置と共有することを特徴とする請求項１乃至７のいずれか１項に記載の撮像装置。
【請求項９】
前記第二の通信手段により前記外部装置と接続している状態で、他の外部装置と前記第一の通信手段により接続した場合、現在接続している前記外部装置との間の通信で用いている通信パラメータとは異なる通信パラメータを前記他の外部装置と共有することを特徴とする請求項１乃至７のいずれか１項に記載の撮像装置。
【請求項１０】
前記第二の通信手段により前記外部装置と接続している状態で、他の外部装置と前記第一の通信手段により接続した場合、現在接続している前記外部装置との間の通信で用いている通信パラメータを前記他の外部装置と共有することを特徴とする請求項１乃至７のいずれか１項に記載の撮像装置。
【請求項１１】
前記第二の通信手段は、前記外部装置からの要求に応じて画像データを送信し、
前記画像データの送信が完了した場合、前記制御手段は、前記外部装置との前記第二の通信を介した接続を切断するよう制御することを特徴とする請求項１乃至１０のいずれか１項に記載の撮像装置。
【請求項１２】
撮像装置の制御方法であって、
第一の通信を介して外部装置と接続する第一の通信工程と、
前記第一の通信とは異なる第二の通信を介して前記外部装置と接続する第二の通信工程と、
被写体を撮像して画像データを生成する撮像工程と、
前記撮像装置を制御する制御工程とを有し、
前記第一の通信によって前記外部装置と接続し、撮像に関する設定を受信したことに応じて、前記制御工程は、前記第一の通信で得た前記設定に従ったタイミングで前記撮像工程において撮像するよう制御すると共に、前記第二の通信工程において前記外部装置と接続し、前記撮像によって得られた画像データに関する情報を前記外部装置に送信するよう制御することを特徴とする撮像装置の制御方法。
【請求項１３】
コンピュータを請求項１乃至１１のいずれか１項に記載の撮像装置の各手段として機能させるための、コンピュータが読み取り可能なプログラム。
【発明の詳細な説明】
【技術分野】
【０００１】
本発明は外部装置と通信可能な撮像装置に関する。
【背景技術】
【０００２】
近年、デジタルカメラや携帯電話のカメラ機能を用いた撮影方法として、ユーザがレンズを自分に向け、自分自身が被写体となって撮影を行う、いわゆる自分撮り撮影と呼ばれる撮影方法が行われている。また、固定的に設置されたカメラを利用して自分撮りを行うことも提案されている。
例えば、特許文献１では、マラソンなどの競技会に参加したユーザの競技中の様子を自動で撮影し、サーバーに送信しておくことで、後からユーザは自分が被写体となった写真を入手できるシステムが提案されている。ユーザは、競技会に参加しながら、自身が競技に取り組んでいる写真を取得することが可能である。
【先行技術文献】
【特許文献】
【０００３】
【特許文献１】特開２０１３−１６８８８６号公報
【発明の概要】
【発明が解決しようとする課題】
【０００４】
従来技術を用いた自分撮り撮影として、特許文献１のシステムでは自動で撮影が行われてしまうため、ユーザ自身が思い描くポーズを取って写真に収まることが難しいという問題がある。
本発明は前述の問題点に鑑み、手軽にユーザの意図した自分撮り撮影が可能なシステムを提供することを目的とする。
【課題を解決するための手段】
【０００５】
本発明の撮像装置は、第一の通信を介して外部装置と接続する第一の通信手段と、前記第一の通信とは異なる第二の通信を介して前記外部装置と接続する第二の通信手段と、被写体を撮像して画像データを生成する撮像手段と、前記撮像装置を制御する制御手段とを有し、前記第一の通信によって前記外部装置と接続し、撮像に関する設定を受信したことに応じて、前記制御手段は、前記第一の通信で得た前記設定に従ったタイミングで前記撮像手段により撮像するよう制御すると共に、前記第二の通信手段により前記外部装置と接続し、前記撮像によって得られた画像データに関する情報を前記外部装置に送信するよう制御することを特徴とする。
【発明の効果】
【０００６】
本発明によれば、手軽にユーザの意図した自分撮り撮影が可能なシステムを提供することができる。
【図面の簡単な説明】
【０００７】
【図１】第１の実施形態、第２の実施形態におけるデジタルカメラの構成例を示すブロック図である。
【図２】第１の実施形態、第２の実施形態における情報端末の構成例を示すブロック図である。
【図３】第１の実施形態、第２の実施形態における自分撮り撮影を行うためのシステムの一例を説明する図である。
【図４】第１の実施形態における自分撮り撮影を行う時の手順を説明するシーケンス図である。
【図５】第１の実施形態、第２の実施形態における撮影指示を作成する際に情報端末上に表示する画面例を示す図である。
【図６】第１の実施形態、第２の実施形態における近接無線通信でやり取りする撮影指示情報を示す図である。
【図７】第２の実施形態における複数の情報端末を使って一台のデジタルカメラで自分撮り撮影を行う時の手順を説明するシーケンス図である。
【発明を実施するための形態】
【０００８】
以下に、本発明を実施するための形態について、添付の図面を用いて詳細に説明する。
なお、以下に説明する実施の形態は、本発明の実現手段としての一例であり、本発明が適用される装置の構成や各種条件によって適宜修正又は変更されてもよい。また、各実施の形態を適宜組み合せることも可能である。
【０００９】
［第１の実施形態］
＜デジタルカメラの構成＞
図１は、本実施形態の撮像装置の一例であるデジタルカメラ１００の構成を示すブロック図である。なお、ここでは撮像装置の一例としてデジタルカメラ及びスマートフォンについて述べるが、撮像装置はこれに限られない。例えば、撮像装置は携帯型のメディアプレーヤやいわゆるタブレットデバイス、パーソナルコンピュータなどの情報処理装置であってもよい。
【００１０】
レンズ部１０１は、被写体像をデジタルカメラ１００内に取り込む。撮像部１０２は、ＣＣＤ（Ｃｈａｒｇｅ Ｃｏｕｐｌｅｄ Ｄｅｖｉｃｅ）やＣＭＯＳ（Ｃｏｍｐｌｅｍｅｎｔａｒｙ Ｍｅｔａｌ Ｏｘｉｄｅ Ｓｅｍｉｃｏｎｄｕｃｔｏｒ）等の撮像素子や各種電子機器を含む。撮像部１０２は、レンズにより光学的に取り込まれた被写体像を電子データに変換する。画像処理部１０３は、撮像部１０２で取り込まれた静止画・動画データに対し画像処理を施す。符号化部１０４は、所望の画像・動画の符号化方式に従った符号化処理を行う。
【００１１】
制御部１０５は、入力された信号や、後述のプログラムに従ってデジタルカメラ１００の各部を制御する。なお、制御部１０５が装置全体を制御する代わりに、複数のハードウェアが処理を分担することで、装置全体を制御してもよい。制御部１０５が、デジタルカメラ１００での静止画撮影、静止画再生、または各種設定を行うためのアプリケーションを実行することでデジタルカメラ１００の機能を実現する。また、図１の各ブロックを制御するドライバーソフトウェアを実行することでデジタルカメラ１００の制御を行う。
メモリ１０６は、各ブロックの設定情報やデジタルカメラ１００が撮影した静止画データを一時保持するほか、デジタルカメラ１００が実行する各種プログラムを展開しておくことができる。
【００１２】
近接無線通信部１０７は、例えば、無線通信のためのアンテナと無線信号を処理するため変復調回路や通信コントローラから構成される。近接無線通信部１０７は、変調した無線信号をアンテナから出力し、また、アンテナで受信した無線信号を復調する。これにより、ＩＳＯ／ＩＥＣ １８０９２の規格（いわゆるＮＦＣ：Ｎｅａｒ Ｆｉｅｌｄ Ｃｏｍｍｕｎｉｃａｔｉｏｎ）に従った非接触近接通信を第一の通信として実現する。近接無線通信部１０７は、デジタルカメラ１００の電源がオフであっても、外部装置からの電磁波により生じる電力を用いて動作することができる。本実施形態の近接無線通信部１０７は、デジタルカメラ１００の側部に配される。
【００１３】
後述する情報端末２００とは、互いの近接無線通信部１０７、２０５を近接させることにより第一の通信を開始して接続される。なお、近接無線通信部１０７、２０５を用いて接続させる場合、必ずしも近接無線通信部同士を接触させる必要はない。近接無線通信部は一定の距離だけ離れていても通信することができるため、互いの機器を接続するためには、近接無線通信可能な範囲まで近づければよい。
【００１４】
以下の説明では、この近接無線通信可能な範囲まで近づけることを、近接させる、とも記載する。なお、近接無線通信部１０７が実現する非接触近接通信はＮＦＣに限られるものではなく、他の無線通信を採用してもよい。例えば、近接無線通信部１０７が実現する非接触近接通信として、ＩＳＯ／ＩＥＣ １４４４３の規格に従った非接触近接通信を採用してもよい。
【００１５】
無線通信部１０８は、離れた場所に存在する外部機器と無線通信を確立して第二の通信を行う。また、所定の通信規格に従う処理を行うことで、静止画及び動画データといったデジタルデータの送受信が可能である。無線通信部１０８は、ビーコンを発信することによってネットワークを生成し、外部機器からのネットワークへの参加要求に応答することで、外部機器と接続する。なお、本実施形態では、無線通信部１０８は外部装置とＩＥＥＥ８０２．１１の規格に従った、いわゆる無線ＬＡＮにより通信するためのインターフェースを含む。制御部１０５は、無線通信部１０８を制御することで外部装置との無線通信を実現する。
【００１６】
第一の通信で外部装置と接続できる距離は、第二の通信で外部装置と接続できる距離より短い。また、無線通信部１０８による外部装置との接続は、近接無線通信部１０７によ通信が切断された後も維持される。
記録部１０９は、例えば、不揮発性メモリで構成される。記録部１０９は、制御部１０５で処理するプログラムや各ブロックの設定情報を記録しておくことができる。また、記録部１０９は、符号化部１０４から出力された画像データを記録することができる。本実施形態のデジタルカメラ１００では、画像データは、ＤＣＦ（Ｄｅｓｉｇｎ ｒｕｌｅ ｆｏｒ Ｃａｍｅｒａ Ｆｉｌｅ ｓｙｓｔｅｍ）の規格に従って、記録部１０９に記録される。なお、記録部１０９は、デジタルカメラ１００に着脱可能なように構成してもよいし、デジタルカメラ１００に内蔵されていてもよい。すなわち、デジタルカメラ１００は少なくとも記録部１０９にアクセスする手段を有していればよい。
【００１７】
＜情報端末の構成＞
図２は、本実施形態の外部装置の一例である情報端末２００の構成例を示すブロック図である。
制御部２０１は、情報端末２００が提供する各機能を実装したプログラムを実行することでユーザに様々な機能を提供する。また、情報端末２００を構成する各ブロックを制御するプログラムを実行することで情報端末２００全体の制御を行う。
メモリ２０２は、各ブロックの設定情報などを一時保持するほか、情報端末２００が実行する各種プログラムを展開しておくことができる。
記録部２０３は不揮発性であり、情報端末２００が受信した静止画や動画、制御部２０１で処理するプログラムを記録しておくことができる。
【００１８】
表示部２０４は、ＧＵＩ（Ｇｒａｐｈｉｃａｌ Ｕｓｅｒ Ｉｎｔｅｒｆａｃｅ）を表示することでユーザに対して情報端末２００で実行できる操作内容を提示できる。また、記録部２０３に記録されている静止画や動画を表示することで、ユーザは静止画・動画の観賞が可能である。またタッチパネルを搭載することでユーザが表示部２０４で行った操作要求を検出し、要求に従って制御部２０１が処理を実行することで、ユーザの要求に従う様々な処理を実行可能である。
【００１９】
近接無線通信部２０５は、一般的には数センチメートルという近距離の範囲に位置する外部機器との間で無線通信を第一の通信として行うことができる。第一の通信は、近距離でしか通信ができないためセキュリティの面で優れていることから、第三者への漏洩を防ぎたい情報のやりとりで利用される。またそれ以外にも、一般的な通信路のように機器間での情報のやり取りも可能である。
無線通信部２０６は、離れた場所に存在する外部機器と無線通信を確立して第二の通信を行うことが可能である。また、所定の通信規格に従う処理を行うことで、静止画及び動画データといったデジタルデータの送受信が可能である。
【００２０】
図３は、ユーザ３００が本実施形態のシステムを利用して、自分が思い描くポーズを取りながら自分撮り撮影を行う様子を示す図である。
ユーザ３００は、情報端末２００を使って撮影指示を作成する。その後、デジタルカメラ１００と情報端末２００間での近接無線通信でデジタルカメラ１００に送信することで撮影指示に従った自動撮影を行うことが可能である。自動撮影期間中ユーザは自分が思い描くポーズを取りながら写真撮影を行う。撮影が終了後、静止画データはデジタルカメラ１００から情報端末２００に自動で送信される。
【００２１】
図４において、具体的な自分撮り撮影のシーケンスを説明する。
図４は、デジタルカメラ１００と情報端末２００を使ってユーザ３００が自分撮り撮影を行う際の動作を説明するシーケンス図である。Ｓ４０１からＳ４０３は、ユーザ３００が情報端末２００上で撮影指示を作成することにより行われる処理である。
【００２２】
Ｓ４０１において、ユーザ３００により撮影指示作成用のアプリケーションが起動されると処理が開始する。このアプリケーションの起動は、表示部２０４でアプリケーションのアイコンをユーザ３００がタッチすることで行なわれる。具体的には、制御部２０１が記録部２０３に記録されているアプリケーションをメモリ２０２に読み出した後、実行することで実現できる。また、ユーザ３００に対しては表示部２０４上で図５に示すような画面が表示されることを想定する。
【００２３】
Ｓ４０２において、Ｓ４０１で起動したアプリケーションを使って撮影タイマー５０１、撮影回数５０２、撮影間隔５０３の設定がユーザ３００により行われる。
撮影タイマー５０１とは、撮影を開始するまでの時間を設定する値である。撮影タイマー５０１の時間は、ユーザ３００がデジタルカメラ１００と情報端末２００の近接無線通信を行った後に、撮影位置への移動や思い描くポーズをとるなどの撮影準備に使う時間である。撮影回数５０２は、撮影する回数である。撮影間隔５０３は、撮影回数５０２で指定した回数の撮像中、撮影と撮影の間に設定する待機時間のことである。この時間を使ってユーザ３００はポーズの変更が可能である。
【００２４】
撮影指示の設定が完了したら、Ｓ４０３において、ユーザ３００により撮影指示の作成が行なわれる。
ユーザ３００により行われる撮影指示の作成指示は、図５のアプリケーション上で作成ボタン５０４をユーザ３００がタッチすることにより行なわれる。作成ボタン５０４がタッチされたことで、アプリケーションが撮影指示情報６００を作成する。制御部２０１がメモリ２０２上に撮影指示情報を作成する。
【００２５】
具体的には、図６に示すような情報を想定する。ＸＭＬ形式で定義されており<Timer>タグ６０１が撮影タイマー５０１、<NumOfShoot>タグ６０２が撮影回数５０２、<ShootDuration>タグ６０３が撮影間隔５０３にそれぞれ対応している。
【００２６】
Ｓ４０４において、ユーザ３００により、情報端末２００とデジタルカメラ１００間での近接無線通信が実行される。デジタルカメラ１００の近接無線通信部１０７と情報端末２００の近接無線通信部２０５を所定の距離に収まるように近接させることで近接無線通信が開始される。
【００２７】
Ｓ４０５において、情報端末２００は撮影指示情報６００をデジタルカメラ１００に送信する。情報端末２００側の制御部２０１が近接無線通信部２０５を制御し、メモリ２０２に存在する撮影指示情報６００を送出する。
受信側のデジタルカメラ１００は、制御部１０５が近接無線通信部１０７を制御し、受信した撮影指示情報６００をメモリ１０６に転送する。これにより、近接無線通信により撮影指示情報６００を情報端末２００からデジタルカメラ１００に転送することができる。
【００２８】
Ｓ４０６において、デジタルカメラ１００は、通信パラメータを含む無線ＬＡＮ情報を情報端末２００に対して送信する。本実施形態では、デジタルカメラ１００がアクセスポイントになる。ここで送信される通信パラメータは、具体的にはＳＳＩＤ（Ｓｅｒｖｉｃｅ Ｓｅｔ ＩＤｅｎｔｉｆｉｅｒ）と暗号化用の秘密鍵の情報である。制御部１０５が記録部１０９に保持されているＳＳＩＤと秘密鍵の情報を読み出し、近接無線通信部１０７から送信することで実現できる。
【００２９】
受信側の情報端末２００は、制御部２０１が近接無線通信部２０５を制御し、受信したＳＳＩＤと秘密鍵をメモリ２０２に転送する。これにより、第三者に知られることなく、手軽にＳＳＩＤと秘密鍵の情報をデジタルカメラ１００と情報端末２００との間で共有することができる。ここまでの処理によって、無線ＬＡＮ通信の確立や撮像のために必要な情報が共有されたため、情報端末２００とデジタルカメラ１００とが離れて近接無線通信が切断したとしても、以降の処理に影響は生じない。
【００３０】
Ｓ４０７において、情報端末２００は、Ｓ４０６で受信したＳＳＩＤと秘密鍵の情報を用いて無線ＬＡＮ通信の確立を行う。無線ＬＡＮ通信の確立は、制御部２０１が無線通信部２０６を制御し、該ＳＳＩＤの機器に対して通信確立を依頼するメッセージを秘密鍵で暗号化して送信することで実現できる。
【００３１】
Ｓ４０８において、デジタルカメラ１００はＳ４０７における情報端末２００からの無線ＬＡＮ通信の要求を許可する処理を行う。この処理は、制御部１０５が無線通信部１０８から許可メッセージを秘密鍵で暗号化して送信することで実現できる。
ここまでの処理により撮影指示情報６００をデジタルカメラ１００に送信し、静止画データの送信が行える無線ＬＡＮ通信を確立する環境を実現できた。以降では、実際の撮影処理について説明する。
【００３２】
Ｓ４０９において、デジタルカメラ１００は撮影モードの起動を行う。制御部１０５の制御に従いレンズ部１０１、撮像部１０２、画像処理部１０３、符号化部１０４を活性化することで撮影が行える環境を整える。
Ｓ４１０において、デジタルカメラ１００はＳ４０５で受信した撮影指示情報６００を解析する。制御部１０５が撮影指示情報６００を解析することで撮影タイマー、撮影回数、撮影間隔の情報を取得できる。
【００３３】
Ｓ４１１において、デジタルカメラ１００は撮影準備を行う。撮影タイマーの値に従いタイマーを起動する。制御部１０５でソフトウェアタイマーを実行することで実現できる。さらに撮影パラメータの設定を、撮像部１０２で得られているライブビュー映像をもとに制御部１０５が行う。具体的には、制御部１０５がレンズ部１０１を制御してフォーカスの調整、撮像部１０２を制御してシャッター速度の調整、画像処理部１０３を制御して色の調整、符号化部１０４を制御して符号化方式の選択、などを行う。そしてこの間、Ｓ４１２において、ユーザ３００はタイマーがカウントダウンしている時間を使って撮影位置に移動し、自分が思い描くポーズをとる。
【００３４】
Ｓ４１３において、デジタルカメラ１００はタイマーのカウントダウンが終了したタイミングで撮影を実行する。制御部１０５がタイマーの完了を検出後、レンズ部１０１、撮像部１０２、画像処理部１０３、符号化部１０４を制御することで、ユーザ３００がＳ４１２でポーズを取った姿の映像を静止画におさめることが可能である。撮影した静止画データはメモリ１０６上で保持される。
【００３５】
そして、このＳ４１１からＳ４１３はループ処理となる。Ｓ４１０で開始した撮影指示情報６００における撮影回数に従い処理を繰り返す。２回目以降のＳ４１１において、制御部１０５が設定するタイマー値は撮影指示情報６００の撮影間隔で設定されている値となる。Ｓ４１１からＳ４１３のループ処理を撮影回数繰り返すことで、ユーザ３００は自身が思い描いた複数のポーズをとりながら希望する枚数の静止画を撮影できる。
【００３６】
Ｓ４１４からは撮影した静止画を情報端末２００に送信する処理となる。
Ｓ４１４において、デジタルカメラ１００は、新たな静止画が作成されたことを情報端末２００に通知する。本実施形態では、ＰＴＰ／ＩＰ（Ｐｉｃｔｕｒｅ Ｔｒａｎｓｆｅｒ Ｐｒｏｔｏｃｏｌ ｏｖｅｒ ＴＣＰ／ＩＰ ｎｅｔｗｏｒｋｓ：ＣＩＰＡ ＤＣ−００５−２０００５）といった静止画転送の規格を想定する。制御部１０５がＰＴＰの通知メッセージを生成し秘密鍵で暗号化した後、無線通信部１０８を介して送信することで実現できる。
【００３７】
Ｓ４１５において、情報端末２００はＳ４１４で受信した通知メッセージに従い静止画の取得要求を送信する。制御部２０１がＰＴＰの画像取得要求メッセージを生成し秘密鍵で暗号化した後、無線通信部２０６を介して送信することで実現できる。
Ｓ４１６において、デジタルカメラ１００は、Ｓ４１５で送信された画像取得要求メッセージに従う静止画データを送信する処理を実行する。制御部１０５が、メモリ１０６で保持されている静止画データを、無線通信部１０８を介して送信することで実現できる。
Ｓ４１７において、情報端末２００はＳ４１６で送られてきた静止画データの保存を行う。静止画データの保存は、制御部２０１が無線通信部２０６で受信したデータを記録部２０３に書き込むことで実現できる。
【００３８】
Ｓ４１８において、情報端末２００は無線ＬＡＮ通信切断の要求を送信する。制御部２０１が無線通信部２０６を介して秘密鍵で暗号化された切断要求メッセージを送信することで実現できる。
Ｓ４１９において、デジタルカメラ１００は、Ｓ４１８の切断要求に従い無線通信を切断することを通知する。制御部１０５が無線通信部１０８を介して秘密鍵で暗号化された切断メッセージを送信することで実現できる。
【００３９】
以上が本発明を適用した第１の実施形態において、デジタルカメラ１００と情報端末２００を使ってユーザ３００が自分撮り撮影を行う際の処理の流れである。
ユーザ３００は、情報端末２００上で自身の思い描くポーズで撮影するための撮影指示情報を作成後、情報端末２００とデジタルカメラ１００を近接無線通信のために近接させるだけで自動的に撮影指示に従う撮影処理が実行される。
その間、ユーザ３００は自身が思い描くポーズを取ることに集中できる。このため、手軽な撮影形式でありながらも、ポーズを取りながらの自分撮り撮影における成功率を高めることが期待できる。さらに、撮影した静止画は自動的にデジタルカメラ１００から情報端末２００に転送されるため、ユーザ３００は情報端末２００の表示部２０４上で何時でも観賞できる。
【００４０】
なお、第１の実施形態では、撮影指示情報６００として「撮影タイマー、撮影回数、撮影間隔」で構成されるものを想定したが、これに限定されるものではない。例えば、デジタルカメラ１００に撮影している映像から人物を検出してその向きを検知する機能を有する場合、被写体の向きの情報を撮影指示情報に活用してもよい。
【００４１】
例えば、撮影間隔の代わりに被写体の向きの情報を活用する例が考えられる。ユーザ３００が予め撮影指示情報に設定した向きを検知したタイミングで撮影が実行されることを意味する。これにより、思い描いた体の向きとポーズの組み合わせによる写真で設定した撮影回数の分だけ撮影することが可能となる。例えば、服を購入する際、複数の服を試着した自分の姿を、決まった向きで決まった枚数で撮影し、静止画を情報端末２００上で確認できるようにしておくといった使い方ができる。試着が終わった後、情報端末２００から画像を見比べながら服の選定を行うことができる。
【００４２】
また、第１の実施形態における図４のシーケンスでは、Ｓ４１６のデータ転送を行うまでを説明したが、そのあとに情報端末２００上で撮影した画像に満足したか否かを確認する工程を提供しても構わない。
Ｓ４１６のデータ転送後、情報端末２００の表示部２０４上に静止画を表示し、合わせて撮影の完了か、または再撮影かを確認するメッセージを表示するといった方法が考えられる。ユーザが再撮影を選択した場合、情報端末２００からデジタルカメラ１００に再実行要求を送信し、Ｓ４１０からＳ４１６までの処理を再度実行することで、ユーザ３００からの再撮影要求に応えることが可能である。
【００４３】
また、第１の実施形態における図４のシーケンスでは、Ｓ４１８とＳ４１９で無線ＬＡＮ通信を切断するといった処理を記載した。無線通信の切断は、消費電力の面で利点がある。しかしながら、無線ＬＡＮ通信の接続を維持するシーケンスも考えられる。これにより、デジタルカメラ１００と情報端末２００は継続して通信を行うことが可能となる。例えば、情報端末２００上で新たな撮影指示情報を作成し、今度は無線通信部２０６を通じてデジタルカメラ１００に送信することで、近接無線通信を省略した形で自分撮り撮影を行うことが可能となる。
【００４４】
［第２の実施形態］
第２の実施形態では、一台のデジタルカメラ１００に対して情報端末とユーザが複数存在するシステムについて説明する。
例えば、景色の良い観光地などで、デジタルカメラを据え置きカメラとして設置しておき、複数のユーザが該デジタルカメラを使用して景色をバックに自分が被写体となる写真を撮影を行うといったサービスが想定できる。
図１のデジタルカメラ１００のブロック図、図２の情報端末２００のブロック図、図３のシステム図、図５の情報端末２００の撮影指示作成のアプリケーション画面、図６の撮影プログアム情報は第１の実施形態で説明したものと同じである。
【００４５】
図７は、一台のデジタルカメラ１００に対して情報端末とユーザが複数存在する場合のシーケンス図である。本実施形態では、情報端末のユーザの組み合わせが２組存在するケースを例に説明する。ユーザ３００が情報端末２００の所有者であり、ユーザ３１０が情報端末２１０の所有者である。
Ｓ７０１からＳ７１９は、ユーザ３００が情報端末２００とデジタルカメラ１００を使って自分撮り撮影を行う処理である。この処理は、図４のシーケンス図と同じであり、Ｓ７０１からＳ７１９までの処理がＳ４０１からＳ４１９までの処理に相当している。
【００４６】
また、Ｓ７５１からＳ７６９は、ユーザ３１０が情報端末２１０とデジタルカメラ１００を使って自分撮り撮影を行う処理である。こちらも図４のシーケンス図と同じである。Ｓ７５１からＳ７６９までの処理がＳ４０１からＳ４１９までの処理に相当している。
【００４７】
図７のシーケンス図における第１の要点は、Ｓ７１４からＳ７１９までの処理と、Ｓ７５４からＳ７６３の処理を並行して処理することが可能な点である。
Ｓ７１４からの処理は、デジタルカメラ１００が情報端末２００に対して撮影した静止画を送信する処理であり、無線通信部１０８を主に使用している期間となる。この期間は、撮影に関わるレンズ部１０１、撮像部１０２、画像処理部１０３、符号化部１０４は空いている。よって、別の情報端末２１０から受け取る撮影指示情報６００を使った撮影処理が可能であるため、Ｓ７５４からＳ７６３までの撮影に関する処理が実行可能な処理となる。
【００４８】
これにより、現在接続している情報端末２００へのデータ転送と、近接無線通信部１０７による第一の通信によって情報端末２１０から受信した撮影指示情報に従う自動撮影を同時に実行することで、撮影配信システムとしての処理の効率化を図ることができる。
【００４９】
図７のシーケンス図における第２の要点は、Ｓ７０６で情報端末２００に通知する無線ＬＡＮ情報Ａと、Ｓ７５６で情報端末２１０に通知する無線ＬＡＮ情報Ｂとで異なる情報を通知している点である。
Ｓ４０６で説明した通り、デジタルカメラ１００は無線ＬＡＮ情報としてＳＳＩＤと秘密鍵の情報を通知している。つまり、デジタルカメラ１００が情報端末２００と情報端末２１０に対して異なるアクセスポイントとして振る舞い、それぞれの情報端末のために、個別のネットワークを生成することを意味している。アクセスポイントとしての振る舞いは、制御部１０５上でのソフトウェア処理として実行可能であるから、独立したアクセスポイントとして振る舞うことが可能である。つまり、情報端末ごとに専用の通信回線を用意することで、セキュリティ面の向上が図れる。
【００５０】
第１の実施形態と同様、第２の実施形態においても、デジタルカメラ１００が撮影している映像から人物を検出してその向きを検知する機能を有する場合、被写体の向きの情報を撮影指示に活用してもよい。例えば、撮影間隔の代わり被写体の向きの情報を活用する例が考えられる。ユーザ３００が予め撮影指示に設定した向きを検知したタイミングで撮影が実行されることを意味する。これにより、思い描いた体の向きとポーズの組み合わせによる写真で設定した撮影回数の分だけ撮影することが可能となる。
【００５１】
また、情報端末２００と情報端末２１０が作る撮影指示情報が異なっても構わない。情報端末２００が撮影間隔５０３を使った撮影指示情報で、情報端末２１０が体の向きの情報を使った撮影指示情報でもよいことを意味する。このようにすることで、ユーザの目的に合った形で自分撮り撮影が可能である。
【００５２】
第１の実施形態と同様、第２の実施形態においても、Ｓ７１６やＳ７５６における画像送信の後に情報端末２００、２１０を操作するユーザ３００、３１０に撮影した画像に満足したか否かを確認する工程を提供してもよい。この時、ユーザ３００がやり直しを要求した時、Ｓ７１０からＳ７１３の撮影処理を再実行する必要がある。
【００５３】
撮影に使用するレンズ部１０１、撮像部１０２、画像処理部１０３、符号化部１０４は並列に使用することができないため、この場合Ｓ７６０からＳ７６３の処理は、並行して処理する対象から外れることになる。
第１の実施形態と同様、第２の実施形態においても、Ｓ７１８とＳ７１９、Ｓ７６８とＳ７６９の無線通信の切断を行わないシーケンスも可能である。
【００５４】
［変形例］
前述の第２の実施形態では、情報端末毎に個別のネットワークを生成する場合について述べた。これについては、共通のネットワークを介して接続してもよい。
無線通信部１０８により情報端末２００と接続している状態で、情報端末２１０と近接無線通信部１０７により接続した場合、現在接続している情報端末２００との間での通信に用いる通信パラメータを情報端末２１０と共有し、同じ通信パラメータを送信する。
【００５５】
［その他の実施形態］
本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５６】
１００  デジタルカメラ
１０１  レンズ部
１０２  撮像部
１０３  画像処理部
１０４  符号化部
１０５  制御部
１０６  メモリ
１０７  近接無線通信部
１０８  無線通信部
２００  情報端末
２０１  制御部
２０２  メモリ
２０３  記録部
２０４  表示部
２０５  近接無線通信部
２０６  無線通信部
３００  ユーザ
５０１  撮影タイマー
５０２  撮影回数
５０３  撮影間隔
５０４  作成ボタン
６００  撮影指示情報
【図１】
2017103552.tif 000003
【図２】
2017103552.tif 000004
【図３】
2017103552.tif 000005
【図４】
2017103552.tif 000006
【図５】
2017103552.tif 000007
【図６】
2017103552.tif 000008
【図７】
2017103552.tif 000009